(57)【要約】      （修正有）【課題】収納品を手早く収納して持ち運ぶことを可能にし、取り出すことも容易にできる収納具を提供する。【解決手段】収納具本体１に、もしくは本体に付属して一対の開口部２を形成し、本体の表裏に面ファスナ３，４を形成する。収納物を本体上に置き、本体の平行辺を折り返して本体の表裏に形成した面ファスナを重ね合わせて接合する。つづいて上記平行辺に直角に本体を折りたたんで開口部が一致するようにする。この重ね合わせた開口部に手の指を挿入して収納品を持ち運ぶ。【選択図】図１
0003130976.tif 000002
【実用新案登録請求の範囲】
【請求項１】
柔軟性のある面状基体を主体として構成される収納具において、上記基体に形成された、または上記基体に付属して形成された一対の開口部および上記基体の表面および裏面に取り付けた複数個の面ファスナを少なくとも有することを特徴とする収納具。
【請求項２】
請求項１において、上記面状基体が左右対称もしくは左右対称に近い形状を有し、上記基体が上記対称形の左右にお互いに平行な２辺を有し、上記対称形状の中心線上の上記基体の長さが上記平行な２辺のおのおのの長さより長いことを特徴とする収納具。
【請求項３】
請求項１、請求項２において、上記面状基体の表面および裏面あるいはその両面にポケットを形成したことを特徴とする収納具。
【考案の詳細な説明】
【技術分野】
【０００１】
本考案は収納物の包み込みと取出しおよび持ち運びが容易に出来る面状の収納具に関する。
【背景技術】
【０００２】
環境意識の高まりにつれて使い捨てでない収納具としての風呂敷の良さが再認識されようとしている。こうした背景のもと従来の風呂敷をさらに使いやすくする試みがいくつか提案されている。特開2006-89079は風呂敷の隅に窓口を設け、さらに把手に一対の磁石を装置したものである（従来技術１）。また、特開2001-328667は風呂敷の表裏に取り付けた面ファスナを接合することにより、末端を結ばなくても使えるようにしたものである（従来技術２）。
【特許文献１】特開2006-89079
【特許文献２】特開2001-328667
【考案の開示】
【考案が解決しようとする課題】
【０００３】
風呂敷は包むものの形状を問わないし、しまうときには小さくたためるので便利である。しかし、物を包むときには端を結んで包み、取り出すときには結び目を解いて取り出さなくてはならない。時間がかかるし結び目も嵩張る上に必ずしも持ちやすくはない。従来技術1は部品として磁石を用いているために高価になってしまい、また把手が隅にあるために包むものに制限があった。また従来技術２は面ファスナにより末端を結ぶ必要がなくなったが、持ち運びに難点があった。本考案はこのような従来技術の難点を解決するためになされたものである。
【課題を解決するための手段】
【０００４】
風呂敷の特徴を生かすべく、面状基体には布地や合成繊維など柔軟性を有する素材を使用し、基体に、もしくは基体に付属して開口部を形成する。この開口部は風呂敷状本体の隅ではなく辺に沿って２箇所形成される。この開口部を把手として収納品を持ち運ぶ。さらに基体の表面および裏面に複数の面ファスナを形成する。基体を畳み込んで表面の面ファスナと裏面の面ファスナを接合することにより横方向の包み込みを行う。この場合、横方向とは把手を形成する辺に沿った方向を指す。さらに縦方向の包み込みを行って把手の近傍に形成した面ファスナの接合を行う。これにより収納品をしっかりと包み込むことが出来、持ち運びやすくなる。
【０００５】
把手を形成する辺は直線状であってもいいが、一般には曲線状とする、あるいは複数の直線から構成する、などして傾斜を持たせて収納品を包み込んだとき面ファスナや開口部が隠れないようにしておく。
【０００６】
本体には小物を収容するためのポケットを形成することも可能である。形成場所は本体表面、本体裏面、あるいはその両面に設けることが出来る。
【考案の効果】
【０００７】
本考案は風呂敷の利便性を損なうことなく、包み込みをさらに容易にし、かつ包み込んだものを簡単に取り出すことが出来るという効果を有する。この効果は開口部と面ファスナの組み合わせにより実現される。開口部が本体の辺にそって形成されているためにしっかりとした持ち運びが可能になるという効果を有する。
【０００８】
さらに面ファスナを表面と裏面に形成し、これを接合することで本体の横方向の包み込みを確実にする。開口部の近傍の本体裏面に形成した面ファスナを接合することで縦方向の包み込みも確実になる。これらにより収納物を容易にかつ確実に包むことが出来る。とくに横方向の包み込みは面ファスナの使用により収納品の寸法そのものになり、必要以上にかさばることがないので効果が大きい。
【０００９】
また本体を左右対称性とし、その左右の辺の長さより、本体中心線上の長さを長く設定しておくと、収納物を包み込んだときに開口部や面ファスナが隠れてしまうことがなくしっかりとした持ち運びが可能になる。
【００１０】
包むことが容易である一方で取り出しも簡単である。面ファスナを取り外せばすぐに収納物を取り出すことができ、取り出したあとの本体は折りたたんでしまえば小さくなって場所をとらない。いつでもどこでも必要なときに取り出して使い、用が済めば小さくたたんで持つことが出来るなどその効果は大きい。
【００１１】
また本体にポケットを形成しておけば小物を収納するのに便利で、使い勝手が向上する。
【実施例】
【００１２】
図１は本考案の１実施例を示したものである。図示のように切り抜いた布地本体１に一対の開口部２を形成する。さらに面ファスナ３および４を布地上に形成する。面ファスナ３は布地のひとつの面（これを表面とする）上に縫いつけまたは張りつける。面ファスナ４は裏面上に縫いつけあるいは張りつけたものを指す。本実施例の本体形状は左右対称性を有しており、その中心線５を描くことが出来る。左右には2つの辺、すなわち辺6、辺7があり、お互いに平行となっている。辺６および辺７は中心線上の本体長さよりも短くなっており、本体を折り返したときに開口部が隠れてしまわない。
【００１３】
収納物を本体裏面上、中心線５の上半分もしくは下半分に寄せて置き、本体の平行辺に沿って形成した面ファスナ３および４が重なりあうように本体を折り返しファスナ同士を接合する。そのあと開口部２が重なるように本体を折り返し本体の円弧状の辺に沿って形成した面ファスナ４同士を接合し、開口部に指を差し込んで収納物を持ち運ぶ。
【００１４】
もちろん収納物は長尺のものであっても折りたたみ可能であれば上記のように上半分もしくは下半分に寄せなくても収納して運ぶことが出来る。また２個以上の収納物を上半分と下半分に分けて置けばこれらを同時につつみこんで運ぶことも出来る。
【００１５】
図２は本考案の別の実施例を示したものである。実施例１では開口部に隣接する本体の辺が円弧状であったのに対し、本実施例では線状になっている点が異なる。このように実際にはいくつもの変形案がありうる。なお、本図以下の図において面ファスナなどが複数個存在する場合、代表するもののみに符号の数字を表示する。
【００１６】
図3は本考案の別の実施例を示したものである。図1に示した実施例において開口部に隣接して設けられた面ファスナを省略した実施例を示す。
【００１７】
図4は本考案の別の実施例を示したものである。図1に示した実施例において開口部に隣接して設けられた面ファスナ４を開口部の両側に形成した実施例を示す。
【００１８】
図5は本考案の別の実施例を示したものである。図1に示した実施例において本体の平行辺に沿って形成した面ファスナ３および４を一部省略した実施例を示す。
【００１９】
図6は本考案の別の実施例を示したものである。図1に示した実施例において開口部に隣接して設けられた面ファスナ４の相対位置を変えた実施例を示す。平行辺６および７に沿って形成した面ファスナ３および４の寸法も変更している。
【００２０】
図7は本考案の別の実施例を示したものである。本実施例では本体に付属して把手8を形成し、これにより開口部２を形成する。上記把手には面ファスナ9を取り付けてこれを接合して使う。
【００２１】
図8は本考案の別の実施例を示したものである。本実施例では本体に付属して把手8を形成し、これにより開口部２を形成する。上記把手は本体を縦断する形で構成するようなデザインとしている。把手近傍の面ファスナ4は本体上に取り付けてこれを接合して使う。
【００２２】
図9は本考案の別の実施例を示したものである。本実施例では本体裏面に付属してポケット１０を形成し、これにより小物を収納する。
【００２３】
図10は本考案の別の実施例を示したものである。本実施例では本体表面に付属してポケット１１を形成し、これにより小物を収納する。
【図面の簡単な説明】
【００２４】
【図１】本考案の１実施例を示した平面図である。
【図２】本考案の１実施例を示した平面図である。
【図３】本考案の１実施例を示した平面図である。
【図４】本考案の１実施例を示した平面図である。
【図５】本考案の１実施例を示した平面図である。
【図６】本考案の１実施例を示した平面図である。
【図７】本考案の１実施例を示した平面図である。
【図８】本考案の１実施例を示した平面図である。
【図９】本考案の１実施例を示した平面図である。
【図１０】本考案の１実施例を示した平面図である。
【符号の説明】
【００２５】
1・・・本体、２・・・開口部、３・・・本体表面に形成した面ファスナ、４・・・本体裏面に形成した面ファスナ、５・・・本体の中心線、6・・・左辺、7・・・右辺、８・・・本体に付属して形成された把手、９・・・把手裏面に形成された面ファスナ、１０・・・本体裏面に形成したポケット、１１・・・本体表面に形成したポケット。
【図１】
0003130976.tif 000003
【図２】
0003130976.tif 000004
【図３】
0003130976.tif 000005
【図４】
0003130976.tif 000006
【図５】
0003130976.tif 000007
【図６】
0003130976.tif 000008
【図７】
0003130976.tif 000009
【図８】
0003130976.tif 000010
【図９】
0003130976.tif 000011
【図１０】
0003130976.tif 000012
【手続補正書】
【提出日】平成19年1月9日(2007.1.9)
【手続補正１】
【補正対象書類名】実用新案登録請求の範囲
【補正対象項目名】請求項３
【補正方法】変更
【補正の内容】
【請求項３】
請求項１または請求項２において、上記面状基体の表面および裏面あるいはその両面にポケットを形成したことを特徴とする収納具。